(57)【要約】【課題】移動体放送受信装置で視聴できなかった部分を後で効率良く視聴することができる「テレビ放送受信システム」を提供すること。【解決手段】移動体放送受信装置で番組の視聴が開始されると、番組を特定するデータが録画装置に送られ、録画装置において移動体放送受信装置で受信している番組の映像信号が録画データ記録部に記録される。また、移動体放送受信装置で番組を視聴中に電波障害等により番組の視聴ができなくなると、移動体放送受信装置の受信障害情報記録部に受信障害情報が書き込まれる。この受信障害情報は移動体放送受信装置から録画装置に送信され、録画装置では受信障害情報に応じた映像信号の再生が行われる。【選択図】図１
2006033120.tif 000002
【特許請求の範囲】
【請求項１】
相互に通信可能な移動体放送受信装置と録画装置とで構成されるテレビ放送受信システムであって、
前記移動体放送受信装置は、
テレビ放送波を受信して放送信号を出力する第１のチューナ部と、
前記第１のチューナ部から出力された放送信号を信号処理して映像信号を出力する第１の信号処理部と、
前記第１のチューナ部及び前記第１の信号処理部を制御する第１の制御部と、
受信障害が発生したときに前記第１の制御部により受信障害情報が書き込まれる受信障害情報記録部と、
前記第１の制御部により制御されて前記録画装置と通信接続する第１の通信部とにより構成され、
前記録画装置は、
テレビ放送波を受信して放送信号を出力する第２のチューナ部と、
前記第２のチューナ部から出力された放送信号を信号処理して映像信号を出力する第２の信号処理部と、
前記第２のチューナ部及び前記第２の信号処理部を制御する第２の制御部と、
前記第２の制御部により制御されて前記第２の信号処理部から出力される映像信号を記録する録画データ記録部と、
前記第２の制御部により制御されて前記移動体放送受信装置と通信接続する第２の通信部とにより構成され、
前記録画装置の前記第２の制御部は、前記移動体放送受信装置から前記受信障害情報を取得して、該受信障害情報に基づいて前記録画データ記録部に書き込まれた映像信号を読み出すことを特徴とするテレビ放送受信システム。
【請求項２】
前記録画装置の前記第２の制御部は、前記第２の通信部を介して前記移動体放送受信装置で視聴している番組を示す情報を取得し、前記移動体放送受信装置で視聴している番組の映像信号を前記録画データ記録部に記録することを特徴とする請求項１に記載のテレビ放送受信システム。
【請求項３】
前記第１の制御部は、前記第１のチューナ部で受信する電波の受信強度が所定値よりも低いとき、電源がオフになったとき、入力ソースが切換えられたとき、又はチャンネルが切換えられたときのいずれかに該当するときに受信障害が発生したものとし、受信障害が発生した時刻とそのときまで受信していた番組を示すデータとを前記受信障害情報として前記受信障害情報記録部に記録することを特徴とする請求項１に記載のテレビ放送受信システム。
【請求項４】
前記録画装置の前記第２の制御部は、前記受信障害情報に基づいて前記録画データ記録部を制御し、前記移動体放送受信装置で受信障害が発生した期間の映像を等速で再生し、他の期間の映像を高速で再生することを特徴とする請求項１乃至３のいずれか１項に記載のテレビ放送受信システム。
【請求項５】
前記録画装置の前記第２の制御部は、前記受信障害情報に基づいて前記録画データ記録部を制御し、前記移動体放送受信装置で受信障害が発生した期間の映像を連続して再生することを特徴とする請求項１乃至３のいずれか１項に記載のテレビ放送受信システム。
【請求項６】
前記録画装置の前記第２の制御部は、再生中に行われる所定の操作に応じて、受信障害情報に記録された期間の映像までスキップして再生することを特徴とする請求項１乃至３のいずれか１項に記載のテレビ放送受信システム。
【発明の詳細な説明】
【技術分野】
【０００１】
本発明は、テレビ（ＴＶ）放送サービスを享受するための受信システムに関し、特にデジタルＴＶ放送を受信可能な移動体ＴＶ受信装置と自宅等に設置されたホームサーバーとにより構成されるシステムに好適なテレビ放送受信システムに関する。
【背景技術】
【０００２】
近年、車載用ＴＶ、ポータブルＴＶ又はＴＶ内蔵携帯電話等の移動体ＴＶ受信装置が広く普及しており、外出先でのＴＶ放送の視聴や移動中のＴＶ放送の視聴が可能になっている。これらの移動体ＴＶ装置は、現在は主にアナログ放送用のものが使用されているが、今後は放送のデジタル化に伴い、デジタルＴＶ放送用の移動体ＴＶ受信装置に置き換わっていくことになる。
【０００３】
ところで、アナログＴＶ放送の場合は、電波受信状況がある程度悪くなっても移動体ＴＶ受信装置で視聴している番組の映像や音声が完全に途切れることは少なく、ノイズが混じることはあっても、放送内容を理解することが可能なことが多い。これに対し、デジタルＴＶ放送の場合は、電波受信状況が悪くなると映像や音声が完全に途切れてしまうので、その間の放送内容を把握することはできない。
【０００４】
近年、外出先から携帯電話等を介して自宅の録画装置（ハードディスクビデオレコーダ等）に対しＴＶ番組の録画予約を行うことが可能なシステムが実現している。また、特開２００２−２４７６５８号公報には、ユーザが外出先で制御対象装置の制御予約を行うとともに、帰宅したか否かに応じてその制御予約の実行処理の有無や内容を決定する携帯端末が開示されている。このようなシステムを利用して、外出先で視聴しているＴＶ番組を自宅の録画機器で録画しておき、視聴できなかった部分を自宅で見ることも考えられる。
【特許文献１】特開２００２−２４７６５８号公報
【発明の開示】
【発明が解決しようとする課題】
【０００５】
しかしながら、外出先で自宅の録画装置に録画予約しても、外出先で視聴できなかった部分を自宅で見るときには、ユーザ自身が視聴できなかった部分を探す必要があり、煩雑である。
【０００６】
本発明は、上記問題点を解決するためになされたものであり、移動体ＴＶ受信装置で視聴できなかった部分を後で効率良く視聴することができるテレビ放送受信システムを提供することである。
【課題を解決するための手段】
【０００７】
上記した課題は、相互に通信可能な移動体放送受信装置と録画装置とで構成されるテレビ放送受信システムであって、前記移動体放送受信装置は、テレビ放送波を受信して放送信号を出力する第１のチューナ部と、前記第１のチューナ部から出力された放送信号を信号処理して映像信号を出力する第１の信号処理部と、前記第１のチューナ部及び前記第１の信号処理部を制御する第１の制御部と、受信障害が発生したときに前記第１の制御部により受信障害情報が書き込まれる受信障害情報記録部と、前記第１の制御部により制御されて前記録画装置と通信接続する第１の通信部とにより構成され、前記録画装置は、テレビ放送波を受信して放送信号を出力する第２のチューナ部と、前記第２のチューナ部から出力された放送信号を信号処理して映像信号を出力する第２の信号処理部と、前記第２のチューナ部及び前記第２の信号処理部を制御する第２の制御部と、前記第２の制御部により制御されて前記第２の信号処理部から出力される映像信号を記録する録画データ記録部と、前記第２の制御部により制御されて前記移動体放送受信装置と通信接続する第２の通信部とにより構成され、前記録画装置の前記第２の制御部は、前記移動体放送受信装置から前記受信障害情報を取得して、該受信障害情報に基づいて前記録画データ記録部に書き込まれた映像信号を読み出すことを特徴とするテレビ放送受信システムにより解決する。
【０００８】
本発明においては、例えば移動体放送受信装置で番組の視聴が開始されると、番組を特定するデータが録画装置に送られ、録画装置において移動体放送受信装置で受信している番組の映像信号が録画データ記録部に記録される。また、移動体放送受信装置でテレビ放送を視聴中に電波障害等によりテレビ放送の視聴ができなくなると、移動体放送受信装置の制御部（第１の制御部）により受信障害情報記録部に受信障害情報が書き込まれる。
【０００９】
この受信障害情報は移動体放送受信装置から録画装置に送信され、録画装置では受信障害情報に応じた映像信号の再生が行われる。例えば、移動体放送受信装置で視聴できた部分の映像は高速で再生し、受信障害が発生した部分の映像は等速で再生する。これにより、ユーザは、移動体放送受信装置で視聴できなかった部分を効率的に視聴することができる。
【発明を実施するための最良の形態】
【００１０】
以下、本発明の実施の形態について、図面を参照して説明する。
【００１１】
（ＴＶ放送受信システムの概略構成）
本発明の実施形態に係るＴＶ放送受信システムは、図１に示すように、車両に搭載されて放送塔５から出力された地上波デジタルＴＶ放送を受信する移動体ＴＶ受信装置１と、自宅に設置されて放送塔５から出力された地上波デジタルＴＶ放送を受信するホームサーバー２とにより構成される。移動体ＴＶ受信装置１とホームサーバー２とは端末間通信により通信接続され、データの送受信が可能になっている。
【００１２】
（移動体ＴＶ受信装置の構成）
図２は移動体ＴＶ受信装置１の構成を示すブロック図である。この図２に示すように、移動体ＴＶ受信装置１は、制御部２１、操作部２２、受信障害情報記録部２３、チューナ部２４、ＯＦＤＭ（Orthogonal Frequency Division Multiplexing：直交周波数分割多重）復調部２５、ＭＰＥＧ−ＴＳ（Transport Stream）復調部２６、Ｄ／Ａ（デジタル／アナログ）変換部２７，２８、駆動回路２９、アンプ３０及び通信機３１により構成されている。制御部２１、受信障害情報記録部２３、チューナ部２４、ＯＦＤＭ復調部２５及びＭＰＥＧ−ＴＳ復調部２６はいずれも制御バスに接続されており、この制御バスを介して信号が伝達される。また、制御部２１は通信機３１に接続されており、この通信機３１を介してホームサーバー２との間で信号の送受信を行う。
【００１３】
チューナ部２４は、制御部２１からの信号により受信チャンネルが設定され、受信した放送信号をＯＦＤＭ復調部２５に出力する。また、チューナ部２４は、制御部２１に受信状態（受信強度）を示す信号を出力する。
【００１４】
ＯＦＤＭ復調部２５は、チューナ部２４から放送信号を入力してＯＦＤＭ復調し、ＭＰＥＧ−ＴＳ信号を抽出する。ＭＰＥＧ−ＴＳ復調部２６は、ＯＦＤＭ復調部２５から出力されたＭＰＥＧ−ＴＳ信号を復調し、デジタルビデオ信号ＶＳとデジタルオーディオ信号ＡＳとに分離して出力する。
【００１５】
Ｄ／Ａ変換部２７は、ＭＰＥＧ−ＴＳ復調部２６からデジタルビデオ信号を入力し、アナログビデオ信号に変換して出力する。駆動回路２９は、Ｄ／Ａ変換部２７からアナログビデオ信号を入力し、液晶パネル等の表示装置（図示せず）を駆動する。これにより、表示装置に映像が表示される。
【００１６】
一方、Ｄ／Ａ変換部２８は、ＭＰＥＧ−ＴＳ復調部２６からデジタルオーディオ信号を入力し、アナログオーディオ信号に変換して出力する。アンプ３０はＤ／Ａ変換部２８から出力されたアナログオーディオ信号を増幅してスピーカー（図示せず）に供給する。これにより、スピーカーから音声又は音楽等が出力される。
【００１７】
操作部２２には、当該移動体ＴＶ受信装置１の操作に必要な操作ボタン等が設けられている。制御部２１は、操作部２２からの信号に応じてチューナ部２４で受信するチャンネルを設定したり、受信障害情報記録部２３、ＯＦＤＭ復調部２５、ＭＰＥＧ−ＴＳ復調部２６及び通信機３１を制御する。また、制御部２１は、チューナ部２４から入力した受信状態を示す信号に基づいて、受信状態が良好か否かを判定する。そして、受信状態が悪いと判定したとき、例えば電波の受信強度が所定値よりも低いときには、それまで受信していた番組を特定するデータと受信状態が悪くなったときの時刻とを含む受信障害情報（受信障害ログ）を作成し、受信障害情報記録部２３に記録する。なお、本実施形態においては、受信状態が悪くなったときの時刻を制御部２１に内蔵されたタイマーから取得するものとする。
【００１８】
受信障害情報記録部２３は半導体メモリにより構成されており、制御部２１により書き込まれた受信障害情報を保持する。
【００１９】
（ホームサーバーの構成）
図３はホームサーバー２の構成を示すブロック図である。この図３に示すように、ホームサーバー２は、制御部４１、操作部４２、録画データ記録部４３、チューナ部４４、ＯＦＤＭ復調部４５、ＭＰＥＧ−ＴＳ（Transport Stream）復調部４６、Ｄ／Ａ変換部４７，４８、駆動回路４９、アンプ５０及び通信機５１により構成されている。制御部４１、録画データ記録部４３、チューナ部４４、ＯＦＤＭ復調部４５及びＭＰＥＧ−ＴＳ復調部４６はいずれも制御バスに接続されており、この制御バスを介して信号が伝達される。また、制御部４１は通信機５１に接続されており、この通信機５１を介して移動体ＴＶ受信装置１との間で信号の送受信を行う。
【００２０】
チューナ部４４は、制御部４１からの信号により受信チャンネルが設定され、受信した放送信号をＯＦＤＭ復調部４５に出力する。ＯＦＤＭ復調部４５は、チューナ部４４から放送信号を入力してＯＦＤＭ復調し、ＭＰＥＧ−ＴＳ信号を抽出する。ＭＰＥＧ−ＴＳ復調部４６は、ＯＦＤＭ復調部４５から出力されたＭＰＥＧ−ＴＳ信号を復調し、デジタルビデオ信号ＶＳとデジタルオーディオ信号ＡＳとに分離して出力する。
【００２１】
Ｄ／Ａ変換部４７は、ＭＰＥＧ−ＴＳ復調部４６からデジタルビデオ信号を入力し、アナログビデオ信号に変換して出力する。駆動回路４９は、Ｄ／Ａ変換部４７からアナログビデオ信号を入力し、液晶パネル又はＣＲＴ（Cathode-Ray Tube）等の表示装置（図示せず）を駆動する。これにより、表示装置に映像が表示される。
【００２２】
一方、Ｄ／Ａ変換部４８は、ＭＰＥＧ−ＴＳ復調部４６からデジタルオーディオ信号を入力し、アナログオーディオ信号に変換して出力する。アンプ５０はＤ／Ａ変換部４８から出力されたアナログオーディオ信号を増幅してスピーカー（図示せず）に供給する。これにより、スピーカーから音声又は音楽等が出力される。
【００２３】
操作部４２には、当該ホームサーバー２の操作に必要な操作ボタン等が設けられている。制御部４１は、操作部４２からの信号や通信機５１を介して移動体ＴＶ受信装置１から送られてくる信号に応じてチューナ部４４で受信するチャンネルを設定したり、録画データ記録部４３、ＯＦＤＭ復調部４５、ＭＰＥＧ−ＴＳ復調部４６及び通信機５１を制御する。
【００２４】
録画データ記録部４３は大容量の記録媒体（例えば、ハードディスク（ＨＤＤ））により構成されている。そして、この録画データ記録部４３は、制御部４１からの信号に応じてＭＰＥＧ−ＴＳ信号をＭＰＥＧ−ＴＳ復調部４６を介して入力し、記録媒体に記録する。この場合に、制御部４１は、制御部４１に内蔵されたタイマーから録画開始時刻を取得し、ＭＰＥＧ−ＴＳ信号とともに録画データ記録部４３に記録しておく。
【００２５】
以上のようなＴＶ放送受信システムにおいて、移動体ＴＶ受信装置１は「移動体放送受信装置」に、ホームサーバー２は「録画装置」に、チューナ部２４は「第１のチューナ部」に、ＯＦＤＭ復調部２５は「第１の信号処理部」に、受信障害情報記録部２３は「受信障害情報記録部」に、制御部２１は「第１の制御部」に、通信機３１は「第１の通信部」に、チューナ部４４は「第２のチューナ部」に、ＯＦＤＭ復調部４５は「第２の信号処理部」に、録画データ記録部４３は「録画データ記録部」に、制御部４１は「第２の制御部」に、通信機５１は「第２の通信部」に対応している。
（基本動作）
図４は、本発明の実施形態に係るＴＶ放送受信システムの動作を示すフローチャートである。
【００２６】
まず、ステップＳ１１において、移動体ＴＶ受信装置１で番組Ａの視聴を開始したものとする。すなわち、ユーザが移動体ＴＶ受信装置１の操作部２２を操作して所望のチャンネルを設定すると、制御部２１はチューナ部２４を制御して、設定されたチャンネルのＴＶ番組Ａの受信を開始する。これと同時に、制御部２１はホームサーバー２に、通信機３１を介して移動体ＴＶ受信装置１で番組Ａの受信を開始したことを通知する。
【００２７】
ホームサーバー２の制御部４１は、ステップＳ２１において移動体ＴＶ受信装置１から番組Ａの受信開始が通知されると、チューナ部４４、ＯＦＤＭ復調部４５、ＭＰＥＧ−ＴＳ復調部４６及び録画データ記録部４３を制御し、移動体ＴＶ受信装置１で受信しているのと同じ番組Ａの受信を開始するとともに、番組Ａの録画データ記録部４３への記録を開始する。このとき、制御部４１は、番組Ａの録画開始時刻を録画データ記録部４３に記録しておく。
【００２８】
次に、ステップＳ１２において、例えば移動体ＴＶ受信装置１を搭載した車両が建築物の陰に入る等の理由により受信強度が所定値よりも低くなり、番組Ａが受信できなくなったとする。この場合、移動体ＴＶ受信装置１の制御部２１は、番組Ａが受信できなくなった時刻Ｘ１と番組Ａを示すデータとをまとめて受信障害情報（受信障害ログ）とし、受信障害情報記録部２３に記録する。その後、再び番組Ａが受信できるようになると、どのくらいの期間（何秒間）番組Ａの受信が中断されたのかを示すデータ（又は，受信が再開された時刻）を受信障害情報に付加する。
【００２９】
次に、ステップＳ１３において、移動体ＴＶ受信装置１の電源（ＡＣＣ：アクセサリー電源）がオフになったものとする。そうすると、制御部２１は、電源がオフになった時刻Ｘ２と、そのときまで視聴していた番組Ａを示すデータとをまとめて受信障害情報とし、受信障害情報記録部２３に記録する。その後、電源がオンになると、制御部２１はどのくらいの期間番組Ａが中断されたのかを示すデータ（又は、受信が再開された時刻）を受信障害情報に付加する。
【００３０】
次に、ステップＳ１４において、移動体ＴＶ受信装置１でユーザが他のソース（例えば、ＣＤプレーヤー）に切換えたために番組Ａの受信が中断されたものとする。この場合も、制御部２１は、番組Ａの受信が中断された時刻Ｘ３と、そのときまで視聴していた番組Ａを示すデータとをまとめて受信障害情報とし、受信障害情報記録部２３に記録する。その後、ユーザがソースを切換えて再び番組Ａの視聴を再開すると、制御部２１はどのくらいの期間番組Ａが中断されたのかを示すデータ（又は、受信が再開された時刻）を受信障害情報に付加する。
【００３１】
次に、ステップＳ１５において、ユーザの操作によりチャンネルが切換えられ、番組Ｂの視聴が開始されたものとする。そうすると、移動体ＴＶ受信装置１の制御部２１は、通信機３１を介してホームサーバー２に、移動体ＴＶ受信装置１で番組Ｂの受信が開始されたことを通知する。
【００３２】
ホームサーバー２では、ステップＳ２２で移動体ＴＶ受信装置１から番組Ｂの視聴開始が通知されると、制御部４１は、チューナ部４４を制御して受信チャンネルを変更し、番組Ｂの受信を開始するとともに、録画データ記録部４３への番組Ｂの録画を開始する。また、このとき同時に、番組Ｂの記録開始時刻も録画データ記録部４３に記録しておく。
【００３３】
このようにして、ホームサーバー２の録画データ記録部４３には、移動体ＴＶ受信装置１で視聴しているのと同じ番組が録画される。また、移動体ＴＶ受信装置１では、視聴している番組が何らかの原因で視聴できなくなったときに、それまで受信していた番組を示すデータと、受信が中断された時刻とを受信障害情報として受信障害情報記録部２３に記録する。
【００３４】
なお、番組Ａの終了時刻まで番組Ａの受信が再開されないときには、番組Ａを受信できなかった期間のデータが欠落する。このように番組受信できなかった期間を示すデータが欠落している場合は、番組の受信が中断されてから番組が終了する時刻までの間、番組を受信できなかったものとする。
【００３５】
また、ステップＳ１２からステップＳ１５までは番組の視聴が中断されたときの例を示したものであり、該当する原因がない場合は対応するステップがスキップされる。
【００３６】
以下、ホームサーバー２に録画された番組を見るときの動作について説明する。但し、ホームサーバー２は一般的な録画装置と同様に録画された番組を初めから再生することも可能であるが、ここでは移動体ＴＶ受信装置１に記録された受信障害情報を用いて効率よく視聴する場合についてのみ説明する。
【００３７】
ステップＳ１６において、移動体ＴＶ受信装置１を搭載した車両が自宅近傍まで戻ってくると、移動体ＴＶ受信装置１の制御部２１は受信障害情報記録部２３から受信障害情報を読み出し、通信機３１を介して受信障害情報をホームサーバー２に送信する。ホームサーバー２は、ステップＳ２３で受信障害情報を受信すると、ステップＳ２４に移行する。そして、ユーザが所定の操作を行うと、受信障害情報に基づいて移動体ＴＶ受信装置１で受信できなかった部分を録画データ記録部４３から読み出し、ＭＰＥＧ−ＴＳ復調部２６に出力する。
【００３８】
ＭＰＥＧ−ＴＳ復調部４６では、録画データ記録部４３から出力されたＭＰＥＧ−ＴＳ信号を復調し、デジタルビデオ信号ＶＳとデジタルオーディオ信号ＡＳとに分離して出力する。デジタルビデオ信号ＶＳは、Ｄ／Ａ変換部４７によりアナログ映像信号に変換され、駆動回路４９に送られる。一方、デジタルオーディオ信号ＡＳは、Ｄ／Ａ変換部４８によりアナログオーディオ信号に変換され、アンプ５０により増幅されてスピーカーに供給される。このようにして、映像と音とがユーザに提供される。
【００３９】
図５（ａ）はホームサーバー２に記録された録画リストの例を示す図であり、図５（ｂ）は移動体ＴＶ受信装置１の受信障害情報記録部２３に記録された受信障害情報の例を示す図である。これらの図５（ａ），（ｂ）に示す情報を用いて、移動体ＴＶ受信装置１で視聴できなかった部分をホームサーバー２で効率よく再生する。
【００４０】
本実施形態においては、ホームサーバー２に記録された録画データを効率よく再生するときの再生パターンとして、例えば以下に示すものが用意されている。
（１）移動体ＴＶ受信装置１で視聴済みの部分を数倍速（例えば、２〜４倍速）で再生し、移動体ＴＶ受信装置１で視聴できなかった部分（及びその前後の部分）のみを等速で再生する。
（２）移動体ＴＶ受信装置１で視聴できなかった部分（及びその前後の部分）のみをつないで再生する。
（３）移動体ＴＶ受信装置１で視聴済みの部分も視聴できなかった部分も等速で再生するが、ユーザが所定の操作を行うことにより、移動体ＴＶ受信装置１で視聴できなかった部分へスキップする。
【００４１】
ユーザは、ホームサーバー２の操作部４２を操作して上記（１）〜（３）のうちのいずれか１つの再生パターンを選択する。ホームサーバー２の制御部４１は、ユーザにより選択された再生パターンで録画データ記録部４３から録画データを読出し、番組を再生する。
【００４２】
例えば、番組Ａを上記の再生パターン（２）で再生する場合は、１９時０５分４３秒の位置から１２秒間分の録画データを録画データ記録部４３から読み出して再生し、次に１９時１０分２０秒の位置から６３０秒間分の録画データを録画データ記録部４３から読み出して再生し、次に２０時１５分１５秒の位置から３秒間分の録画データを録画データ記録部４３から読み出して再生する。
【００４３】
このように、本実施形態の放送受信システムによれば、外出先で視聴している番組をホームサーバー２で録画しておくとともに、何らかの原因により移動体ＴＶ受信装置１で番組が視聴できなくなったときには受信障害情報を移動体ＴＶ受信装置１内に記録しておくので、ホームサーバー２に記録した番組を受信障害情報を基に効率よく視聴することができる。これにより、移動体ＴＶ受信装置１で視聴できなかった部分をユーザ自身が探す必要がなくなり、利便性が向上する。
【００４４】
なお、上記の例では、ユーザが番組Ａから番組Ｂの視聴に切換えたときにホームサーバー２でも番組Ａの録画を終了して番組Ｂの録画を開始するものとしたが、ユーザの設定に応じて、番組Ａが終了していないうちに移動体ＴＶ受信装置１で番組Ｂに変更したときにはホームサーバー２で番組Ａの録画を継続し、番組Ａが終了した後に番組Ｂの録画を開始するようにしてもよい。
【００４５】
また、上記実施形態では番組を視聴できなかった時間が短時間でも受信障害として受信障害情報記録部２３に記録されるが、番組を視聴できなかった時間がある一定の時間よりも短い場合には受信障害として扱わず、受信障害情報記録部２３に記録しないようにしてもよい。
【００４６】
更に、上記実施形態では、車両が自宅近傍まで戻ったときに受信障害情報を移動体ＴＶ受信装置１からホームサーバー２へ転送するものとしたが、受信障害が発生する毎に受信障害情報を移動体ＴＶ受信装置１からホームサーバー２へ転送してもよい。
【００４７】
更にまた、本実施形態では移動体ＴＶ受信装置１が車載用の装置の場合について説明したが、これにより本発明において移動体ＴＶ受信装置１が車載用に限定されるものではなく、例えば移動体ＴＶ受信装置１がポータブルＴＶ又はＴＶ内蔵携帯電話の場合にも適用することができる。
【図面の簡単な説明】
【００４８】
【図１】図１は、本発明の実施形態に係るＴＶ放送受信システムを示す模式図である。
【図２】図２は、移動体ＴＶ受信装置の構成を示すブロック図である。
【図３】図３は、ホームサーバーの構成を示すブロック図である。
【図４】図４は、実施形態に係るＴＶ放送受信システムの動作を示すフローチャートである。
【図５】図５（ａ）はホームサーバーに記録された録画リストの例を示す図、図５（ｂ）は移動体ＴＶ受信装置に記録された障害情報のリストの例を示す図である。
【符号の説明】
【００４９】
１…移動体ＴＶ受信装置、
２…ホームサーバー、
２１，４１…制御部、
２２，４２…操作部、
２３，４３…記録部、
２４，４４…チューナ部、
２５，４５…ＯＦＤＭ復調部、
２６，４６…ＭＰＥＧ−ＴＳ復調部、
２７，４７…Ｄ／Ａ変換部（映像）、
２８，４８…Ｄ／Ａ変換部（音声）、
２９，４９…駆動回路、
３０，５０…アンプ、
３１，５１…通信機。
【図１】
2006033120.tif 000003
【図２】
2006033120.tif 000004
【図３】
2006033120.tif 000005
【図４】
2006033120.tif 000006
【図５】
2006033120.tif 000007